(57)【要約】【課題】排泄物の吸収に起因して生じる臭気を香料によって効果的に抑制し得る吸収性物品を提供すること。【解決手段】吸収性物品１０は、表面シート１１と、裏面シート１２と、両シート１１，１２間に配置された吸収体１３とを有する。吸収性物品１０は、その長手方向に沿う各側部に、肌対向面側から起立する防漏カフ１６をそれぞれ備える。少なくとも防漏カフ１６に香料が含まれている。香料が、尿臭成分に起因するヒトの嗅覚受容体の活性化を阻害する物質からなることが好適である。【選択図】図１
2018102614.tif 000002
【特許請求の範囲】
【請求項１】
表面シートと、裏面シートと、両シート間に配置された吸収体とを有する吸収性物品であって、
前記吸収性物品の長手方向に沿う各側部に、肌対向面側から起立する防漏カフをそれぞれ備え、
少なくとも前記防漏カフに香料を含む吸収性物品。
【請求項２】
前記防漏カフの自由端に前記香料を含む請求項１に記載の吸収性物品。
【請求項３】
前記防漏カフは、その肌対向面に前記香料を含む請求項１に記載の吸収性物品。
【請求項４】
前記防漏カフは、その長手方向に沿う中央域に前記香料を含む請求項１ないし３のいずれか一項に記載の吸収性物品。
【請求項５】
着用時に着用者の脚周りに位置するレッグカフを更に有し、該レッグカフに前記香料を含む請求項１ないし４のいずれか一項に記載の吸収性物品。
【請求項６】
前記香料が、尿臭成分に起因するヒトの嗅覚受容体の活性化を阻害する物質を含む請求項１ないし５のいずれか一項に記載の吸収性物品。
【請求項７】
前記香料が、ｐ−クレゾール又は２−メトキシ−４−ビニルフェノールに起因するヒトの嗅覚受容体の活性化を阻害する物質を含む請求項６に記載の吸収性物品。
【請求項８】
前記嗅覚受容体がＯＲ９Ｑ２、ＯＲ１０Ｇ４、ＯＲ１０Ｇ７及びＯＲ２Ｗ１のいずれかである請求項６又は７に記載の吸収性物品。
【発明の詳細な説明】
【技術分野】
【０００１】
本発明は、吸収性物品に関する。
【背景技術】
【０００２】
使い捨ておむつ、失禁パッド及び生理用ナプキンなどの各種の吸収性物品においては、吸収した排泄物から生ずる臭気が知覚されないようにする目的で、該吸収性物品に香料を施して臭気をマスキングすることがしばしば行われている。マスキングの効果を高めるためには、香料の香りを強くする必要があるが、香料の香りが強すぎると、着用者や他者の気分を悪くさせることがある。
【０００３】
香料によるマスキング効果を高める目的で、香料は一般に吸収性物品における吸収体に施されることが多い。しかし、吸収体に吸収された尿等の排泄物が香料と混ざり合うことで別の臭いが発生し、香料によるマスキング効果が低下する場合がある。
【０００４】
香料を配置する部位を工夫することで、香料による臭気のマスキングを試みた提案が特許文献１においてなされている。同文献に記載の吸収性物品は、該吸収性物品の着用状態において、下着のクロッチ領域と、着用者の大腿部との間に香料配置領域が位置するようにしている。このため、経血などの体液などに起因する臭いが、下着と吸収性物品とで覆われた空間に閉じこめられ易くなり、下着の外部には、香料配置領域に配置された香料の臭いだけが発散するようになる、と同文献には記載されている。
【先行技術文献】
【特許文献】
【０００５】
【特許文献１】特開２０１３−１４１５１１号公報
【発明の概要】
【発明が解決しようとする課題】
【０００６】
しかし、特許文献１に記載の技術では、香料による臭気のマスキング効果には限界があった。
【０００７】
したがって本発明の課題は、賦香された吸収性物品の改良にあり、更に詳しくは排泄物の吸収に起因して生じる臭気を香料によって効果的に抑制し得る吸収性物品を提供することにある。
【課題を解決するための手段】
【０００８】
本発明は、表面シートと、裏面シートと、両シート間に配置された吸収体とを有する吸収性物品であって、
前記吸収性物品の長手方向に沿う各側部に、肌対向面側から起立する防漏カフをそれぞれ備え、
少なくとも前記防漏カフに香料を含む吸収性物品を提供するものである。
【発明の効果】
【０００９】
本発明によれば、排泄物の吸収に起因して生じる尿臭等の臭気を、香料によって効果的に抑制し得る吸収性物品が提供される。
【図面の簡単な説明】
【００１０】
【図１】図１は、本発明の吸収性物品の一実施形態を示す長手方向中央域における幅方向に沿った厚み方向断面図である。
【図２】図２（ａ）は、目的の臭い分子が嗅覚受容体を活性化させる機序を示す模式図であり、図２（ｂ）は、嗅覚受容体アンタゴニズムによって、目的の臭い分子に対する受容体の活性化が阻害される機序を示す模式図である。
【発明を実施するための形態】
【００１１】
以下本発明を、その好ましい実施形態に基づき図面を参照しながら説明する。図１には本発明の吸収性物品の一実施形態が示されている。同図は、吸収性物品の長手方向中央域（つまり着用状態における着用者の股下部）における幅方向に沿った厚み方向断面図である。同図に示すとおり、本実施形態の吸収性物品１０は、表面シート１１及び裏面シート１２を備えている。表面シート１１及び裏面シート１２は、いずれも吸収性物品１０の長手方向、すなわち図１中、紙面に垂直な方向に延びる縦長の形状をしている。表面シート１１は、吸収性物品１０の着用状態において、着用者の肌に対向する面側に配置されている。表面シート１１における外面は、吸収性物品１０における肌対向面となる。一方、裏面シート１２は、吸収性物品１０の着用状態において、着用者の肌から最も遠い側に位置する。裏面シート１２における外面は、吸収性物品１０における非肌対向面となる。裏面シート１２における外面には、吸収性物品１０の具体的な用途に応じて、粘着剤層（図示せず）が設けられていてもよい。粘着剤層は、吸収性物品１０の着用状態において、該吸収性物品１０を、下着や別の吸収性物品に固定するために用いられる。
【００１２】
表面シート１１としては、液透過性を有するシート、例えば不織布や穿孔フィルムなどを用いることができる。表面シート１１は、その肌対向面側が凹凸形状になっていてもよい。例えば表面シート１１の肌対向面側に、散点状に複数の凸部を形成することができる。あるいは、表面シート１１の肌対向面側に、一方向に延びる畝部と溝部とを交互に形成することができる。そのような目的のために、２枚以上の不織布を用いて表面シート１１を形成することもできる。
【００１３】
一方、裏面シート１２としては、例えば液不透過性のフィルムや、液難透過性のシートであるスパンボンド・メルトブローン・スパンボンド積層不織布などを用いることができる。液不透過性のフィルムに、複数の微細孔を設け、該フィルムに水蒸気透過性を付与してもよい。図１には示していないが、吸収性物品１０の肌触り等を一層良好にする目的で、裏面シート１２の外面に不織布等の風合いの良好なシートを積層してもよい。
【００１４】
表面シート１１と裏面シート１２との間には吸収体１３が配置されている。吸収体１３は、吸収性物品１０の長手方向、すなわち図１中、紙面に垂直な方向に延びる縦長の形状をしている。吸収体１３は、その上面の全域及び下面の全域が、表面シート１１及び裏面シート１２によってそれぞれ被覆されている。
【００１５】
吸収体１３は、吸収性コア１４と、該吸収性コア１４の周囲を被覆する被覆シート１５とを備えている。吸収性コア１４は、パルプ繊維を始めとする各種の吸水性繊維から構成されている。あるいは吸収性コア１４は、水を吸収して膨潤し且つ水を保持する性質を有するヒドロゲル材料からなる高吸収性ポリマーから構成されている。吸収性コア１４が、吸水性繊維及び高吸収性ポリマーの双方を含んでいてもよい。被覆シート１５は液透過性のシートからなる。被覆シート１５としては、例えば各種の不織布に親水化処理を施したものや、ティッシュペーパーなどを用いることができる。なお、図１においては、吸収性コア１４を被覆する被覆シート１５が２枚用いられており、各被覆シート１５が、吸収性コア１４の肌対向面側及び非肌対向面側をそれぞれ被覆しているが、これに代えて、被覆シートを１枚のみ用い、該１枚の被覆シート１５によって、吸収性コア１４を被覆してもよい。
【００１６】
吸収体１３は、上述した吸収性コア１４と被覆シート１５とを備えた構成の他に、吸収性シートから構成されていてもよい。吸収性シートとしては、例えば繊維材料及び高吸収性ポリマーを含むシートが用いられる。吸収性シートとしては、湿潤状態の高吸収性ポリマーに生じる粘着力や別に添加した接着剤や接着性繊維等のバインダーを介して、構成繊維間や構成繊維と高吸収性ポリマーとの間を結合させてシート状としたもの等を好ましく用いることができる。また、吸収性シートとして、特開平８−２４６３９５号公報記載の方法にて製造された吸収性シート、気流に乗せて供給した粉砕パルプ及び高吸収性ポリマーを堆積させた後、接着剤（例えば酢酸ビニル系の接着剤、ＰＶＡ等）で固めた乾式シート、紙や不織布の間にホットメルト接着剤等を塗布した後、高吸収性ポリマーを散布して得られた吸収性シート、スパンボンド又はメルトブロー不織布製造工程中に高吸収性ポリマーを配合して得られた吸収性シート等を用いることもできる。
【００１７】
吸収性物品１０は、その長手方向（図１中、紙面に直交する方向）に沿う各側部に、肌対向面側から起立する防漏カフ１６をそれぞれ備えている。防漏カフ１６は、吸収性物品１０の長手方向に沿って、該吸収性物品１０のほぼ全長にわたって延びている。防漏カフ１６は、基端部１６ａと自由端１６ｂとを備えている。防漏カフ１６は、吸収性物品１０の肌対向面側に基端部１６ａを有し、肌対向面側から起立している。防漏カフ１６は、液抵抗性ないし撥水性で且つ通気性の素材から構成されている。
【００１８】
防漏カフ１６の自由端１６ｂ又はその近傍には、防漏カフ弾性部材１６ｃが伸長状態で配されている。吸収性物品１０の着用状態においては、防漏カフ弾性部材１６ｃが収縮することによって防漏カフ１６が着用者の身体に向けて起立する。防漏カフ１６が起立することで、表面シート１１上に排泄された液が、表面シート１１上を伝い吸収性物品１０の幅方向外方へ漏れ出すことが効果的に阻止される。
【００１９】
吸収性物品１０は、これを幅方向に沿って見たとき、各防漏カフ１６の基端部１６ａよりも外方の位置に、長手方向に延びる一対のレッグカフ１７，１７を有している。各レッグカフ１７は、吸収性物品１０のほぼ全長にわたって延びている。レッグカフ１７の自由端１７ｂ又はその近傍には、レッグカフ弾性部材１７ｃが伸長状態で配されている。レッグカフ１７は、吸収性物品１０の着用状態において、着用者の脚周りにフィットするようになっている。
【００２０】
防漏カフ１６及びレッグカフ１７は同一のシート材から構成されている。詳細には、１枚の縦長のシート材を、その長手方向に折曲線が形成されるように二つ折りし、二つ折りされたシート材における折曲線の近傍の部位に、レッグカフ弾性部材１７ｃを伸長状態で配し、シート材と固定する。これによってレッグカフ１７が形成される。また、二つ折りされたシート材における一方の長手方向に沿う側縁の位置にレッグカフ弾性部材１７ｃを伸長状態で配し、シート材と固定する。これによってレッグカフ１７が形成される。二つ折りされたシート材における一方の長手方向に沿う側縁は、吸収体１３の下側に位置させて、裏面シート１２と接合する。更に、表面シート１１における長手方向に沿う各側縁を、二つ折りされたシート材の間に挟み、これらを一体的に接合して接合部１８を形成する。接合部１８は、先に述べた防漏カフ１６の基端部１６ａとなる。なお、基端部１６ａと、レッグカフ１７の自由端１７ｂとの間の部位が、レッグカフ１７である。
【００２１】
吸収性物品１０においては、少なくとも防漏カフ１６に香料を含む。防漏カフ１６は、吸収性物品１０の着用状態において着用者の身体、特に大腿部や鼠径部に直接に触れる部材なので、防漏カフ１６と着用者の身体との接触に起因する摩擦によって、香料が揮散しやすい。香料の揮散は、着用者の体温によって促進される。その結果、吸収性物品に吸収保持された液から生じる臭気に先んじて香料が香るようになり、臭気が知覚されづらくなる。
【００２２】
しかも防漏カフ１６は、着用者から排泄された液と直接に接する部位ではないので、防漏カフ１６を賦香した場合であっても、香料の芳香と液の臭気とが混ざり合いにくい。その結果、芳香と臭気とが混ざり合うことで新たに生じる別の不快な臭いを着用者や周囲の者が知覚しづらくなる。
【００２３】
防漏カフ１６と着用者の身体との接触に起因する摩擦によって、香料を一層揮散させやすくする観点から、香料は、防漏カフ１６のうち、自由端１６ｂ又はその近傍の位置に含まれていることが有利である。同様の観点から、香料は、防漏カフ１６における肌対向面に含まれていることも好ましい。防漏カフ１６における肌対向面とは、吸収性物品１０の着用状態において防漏カフ１６が起立したときに、起立した防漏カフ１６の内面及び外面のうち、主として着用者の肌を向く面のことである。防漏カフ１６の内面とは、起立状態にある防漏カフ１６の２つの面のうち、幅方向の内方を向く面のことである。防漏カフ１６の外面とは、起立状態にある防漏カフ１６の２つの面のうち、幅方向の外方を向く面のことである。防漏カフ１６の内面を肌対向面とするためには、例えば防漏カフ１６の長手方向に沿う前方域及び後方域において、防漏カフ１６の外面を吸収性物品の肌対向面側に倒伏させて、倒伏した防漏カフ１６の外面と、該外面に対向する位置にある部材（例えばレッグカフ１７）とを接合状態にすればよい。一方、防漏カフ１６の外面を肌対向面とするためには、例えば防漏カフ１６の長手方向に沿う前方域及び後方域において、防漏カフ１６の内面を吸収性物品の肌対向面側に倒伏させて、倒伏した防漏カフ１６の内面と、該内面に対向する位置にある部材（例えばレッグカフ１７）とを接合状態にすればよい。
【００２４】
防漏カフ１６が香料を含む場合、該防漏カフ１６の長手方向に沿う中央域に香料を含むことも好ましい。防漏カフ１６の長手方向中央域は、前方域や後方域に比べ、吸収性物品１０の着用状態において着用者が歩行等の動作をしたときに、着用者の大腿部や鼠径部に一層触れやすい部材なので、防漏カフ１６と着用者の身体との接触に起因する摩擦に起因する香料の揮散が一層促進されるからである。防漏カフ１６の長手方向中央域は、吸収性物品１０の着用状態において、着用者の股下部に対応する部位である。
【００２５】
吸収性物品１０においては、上述のとおり防漏カフ１６が賦香されていることに加えて、レッグカフ１７に香料が含まれていることも有利である。レッグカフ１７は、防漏カフ１６と同様に、吸収性物品１０の着用状態において着用者の身体、特に大腿部や鼠径部に直接に触れる部材なので、レッグカフ１７と着用者の身体との接触に起因する摩擦によって、レッグカフ１７に含まれている香料が揮散しやすい。
【００２６】
しかもレッグカフ１７は、着用者から排泄された液と直接に接する部位ではないので、レッグカフ１７を賦香した場合であっても、香料の芳香と液の臭気とが混ざり合いにくい。その結果、芳香と臭気とが混ざり合うことで新たに生じる別の不快な臭いを着用者や周囲の者が知覚しづらくなる。
【００２７】
レッグカフ１７と着用者の身体との接触に起因する摩擦によって、香料を一層揮散させやすくする観点から、レッグカフ１７のうち、自由端１７ｂ又はその近傍の位置に香料が含まれていることが有利である。同様の観点から、レッグカフ１７における肌対向面に香料が含まれていることも好ましい。
【００２８】
レッグカフ１７に香料が含まれている場合、該レッグカフ１７の長手方向に沿う中央域に香料が含まれていることも好ましい。レッグカフ１７の長手方向中央域は、前方域や後方域に比べ、吸収性物品１０の着用状態において着用者が歩行等の動作をしたときに、着用者の大腿部や鼠径部に一層触れやすい部材なので、レッグカフ１７と着用者の身体との接触に起因する摩擦に起因する香料の揮散が一層促進されるからである。レッグカフ１７の長手方向中央域は、吸収性物品１０の着用状態において、着用者の股下部に対応する部位である。
【００２９】
レッグカフ１７に含まれている香料と、先に述べた防漏カフ１６に含まれている香料とは、同種のものであってもよく、あるいは異種のものであってもよい。
【００３０】
防漏カフ１６やレッグカフ１７へ香料を含ませる方法としては、例えば、使用される香料を適当な溶媒（例えば水、エタノール、低分子炭化水素類、多価アルコール類、液体ＬＰＧガス、ジメチルエーテル等）に希釈したものや原液そのものを、防漏カフ１６やレッグカフ１７に塗布、噴霧又は含浸させて塗工する方法等が挙げられる。
【００３１】
本発明で用いられる香料としては、大気圧下で香気を大気中に蒸散し得るものであればよく、常温常圧の環境下で、その香気を知覚し得る通常の香料を特に制限なく用いることができ、当該技術分野において従来用いられてきたものと同様のものも用いることができる。例えば、香料としては、沸点が約２５０℃以下の高揮発性香料成分、又は沸点が約２５０〜約３００℃の中揮発性香料成分が好ましく用いられる。
【００３２】
前記高揮発性香料成分としては、例えばアニソール、ベンズアルデヒド、酢酸ベンジル、ベンジルアルコール、ギ酸ベンジル、酢酸イソボルニル、シトロネラール、シトロネロール、酢酸シトロネリル、パラシメン、デカナール、ジヒドロリナロール、ジヒドロミルセノール、ジメチルフェニルカルビノール、ユーカリプトール、１−カルボン、ゲラニアール、ゲラニオール、酢酸ゲラニル、ゲラニルニトリル、酢酸ネリル、酢酸ノニル、リナロール、エチルリナロール、酢酸リナリル、フェニルエチルアルコール、α−ピネン、β−ピネン、γ−ピネン、α−ヨノン、β−ヨノン、γ−ヨノン、α−テルピネオール、β−テルピネオール、酢酸テルピニル、テンタローム等が挙げられ、これらの１種を単独で又は２種以上を組み合わせて用いることができる。
【００３３】
前記中揮発性香料成分としては、例えばアミルシンナムアルデヒド、ジヒドロジャスモン酸メチル、サリチル酸イソアミル、β−カリオフィレン、セドレン、セドリルメチルエーテル、桂皮アルコール、クマリン、ジメチルベンジルカルビニルアセテート、イソオイゲノール、γ−メチルヨノン、ヘリオトロピン、サリチル酸ヘキシル、サリチル酸シス−３−ヘキセニル、フェニルヘキサノール、ペンタライド等が挙げられ、これらの１種を単独で又は２種以上を組み合わせて用いることができる。
【００３４】
香料としては、前述の高揮発性及び中揮発性香料成分以外に、或いはこれら香料成分に加えて更に、バラ香調、ラベンダー香調、ジャスミン香調、イランイラン香調を有する香料を含有した香料組成物を用いることもできる。斯かる香料組成物としては、例えば、ネロール、ラバンジュロール、ジャスマール、シクロピデン等が挙げられ、これらの１種を単独で又は２種以上を組み合わせて用いることができる。
【００３５】
また、香料には、前述した香料組成物の単体、及び天然精油や調合ベースのように、「複数の香料によって構成される香料素材が組み合わされたもの（香料組成物）で、溶剤によって希釈・調整されたもの」が含まれる。例えば、香料として、バラ、ラベンダー、ジャスミン、イランイラン様香気を有する香料を含有する香料組成物を用いることができる。
【００３６】
特に、香料は、尿臭成分に起因するヒトの嗅覚受容体の活性化を阻害する物質（以下、この物質のことを「アンタゴニスト香料」とも言う。）を含むことが好ましい。アンタゴニストとは、結合部位を奪い合うことで作用を阻害する競合的拮抗薬のことであり、アンタゴニスト香料とは、図２（ａ）に示すとおり、結合部位が嗅覚受容体２０である場合に、目的の臭い分子２１が嗅覚受容体２０に結合して該受容体２０が活性化して臭い情報が伝達されるときに、図２（ｂ）に示すとおり、目的の臭い分子２１と他の分子２２をともに適用することにより、当該他の分子２２によって目的の臭い分子２１に対する受容体の活性化を阻害し、結果的に個体に認識される臭いを抑制するために用いられる当該他の分子のことである。つまり、アンタゴニスト香料を用いることで、嗅覚受容体アンタゴニズムによる臭いの抑制を達成することができる。このように、アンタゴニスト香料を用いることで、該アンタゴニスト香料自体の香気が強くなくても、高い尿臭の抑制効果が発現する。
【００３７】
嗅覚受容体アンタゴニズムによる臭いの抑制は、同様に他の分子を用いる手段であっても、芳香剤による消臭のように、目的の臭いを香料の香気によって隠蔽（マスキング）する手段とは区別される。嗅覚受容体アンタゴニズムによる臭いの抑制の一例は、アンタゴニスト等の嗅覚受容体の活性化を阻害する物質を使用するケースである。特定の臭いをもたらす臭い分子の受容体にその活性化を阻害する物質を適用すれば、当該受容体の当該臭い分子に対する活性化が阻害されるため、最終的に個体に知覚される臭いを抑制することができる。
【００３８】
尿臭成分としては、ｐ−クレゾール及び２−メトキシ−４−ビニルフェノールが代表的なものとして知られている。これらの物質の臭いを嗅覚受容体アンタゴニズムによって抑制することが、効果的な臭気の抑制の点から好ましい。ｐ−クレゾール及び２−メトキシ−４−ビニルフェノールは、放尿又は採尿後時間が経った尿又は飛び散って乾燥した尿から発せられる臭い、あるいは使用後放置した吸収性物品から発せられる尿の臭いの代表的なものである。
【００３９】
本明細書において、「尿臭」とは、好適には、放尿又は採尿後時間が経った尿から発せられる臭いである。例えば、本明細書における「尿臭」は、飛び散って乾燥した尿の臭い又は使用後放置した吸収性物品から発する尿の臭いであり得る。また好適には、本明細書における「尿臭」は、βグルクロニダーゼ処理された尿又はその抽出物の臭いである。
【００４０】
特に、アンタゴニスト香料は、ヒトの嗅覚受容体としてのＯＲ９Ｑ２、ＯＲ１０Ｇ４、ＯＲ１０Ｇ７又はＯＲ２Ｗ１の活性化を阻害する物質のいずれかであることが好ましい。これによって尿臭成分に対する活性が一層抑制され、最終的に個体に知覚される臭いを更に一層抑制することができる。これらの嗅覚受容体のうち、ＯＲ９Ｑ２又はＯＲ２Ｗ１にアンタゴニスト香料を適用することで、ｐ−クレゾールに対して特異的に臭いの抑制効果が発揮される。また、ＯＲ１０Ｇ４又はＯＲ１０Ｇ７にアンタゴニスト香料を適用することで、２−メトキシ−４−ビニルフェノールに対して特異的に臭いの抑制効果が発揮される。
【００４１】
本発明において、特に好ましく用いられるアンタゴニスト香料としては、例えばＯＲ９Ｑ２に結合し得る以下の化合物が挙げられる。これらの化合物は１種を単独で、又は２種以上を組み合わせて用いることができる。
・３−（４−ｔｅｒｔ−ブチルフェニル）プロパナール（Ｂｏｕｒｇｅｏｎａｌ）
・３，７，１１−トリメチルドデカ−１，６，１０−トリエン−３−オール（Ｎｅｒｏｌｉｄｏｌ）
・メチルセドリルケトン（１−［（１Ｓ，２Ｒ，５Ｒ，７Ｓ）−２，６，６，８−ｔｅｔｒａｍｅｔｈｙｌｔｒｉｃｙｃｌｏ［５．３．１．０１，５］ｕｎｄｅｃ−８−ｅｎ−９−ｙｌ］ｅｔｈａｎｏｎｅ；Ａｃｅｔｙｌ ｃｅｄｒｅｎｅ） 
・１−（２−ｔｅｒｔ−ブチルシクロヘキシル）オキシブタン−２−オール（Ａｍｂｅｒｃｏｒｅ）
・２，２，７，７−テトラメチルトリシクロ［６．２．１．０１，６］ウンデカン−５−オン（ｉｓｏ−Ｌｏｎｇｉｆｏｌａｎｏｎｅ）
【００４２】
本発明においてアンタゴニスト香料として、ＯＲ２Ｗ１に結合し得る以下の化合物も好ましく挙げられる。
・（３Ｒ，３ａＳ，６Ｓ，７Ｒ，８ａＳ）−Ｏｃｔａｈｙｄｒｏ−６ｍｅｔｈｏｘｙ−３，６，８，８，−ｔｅｔｒａｍｅｔｈｙｌ−１Ｈ−３ａ，７−ｍｅｔｈａｎｏａｚｕｌｅｎｅ（Ｍｅｔｈｙｌ  Ｃｅｄｒｙｌ  Ｅｔｈｅｒ）
【００４３】
本発明においてアンタゴニスト香料として、ＯＲ１０Ｇ４に結合し得る以下の化合物も好ましく挙げられる。
・５−メチル−２−（１−メチルエチル）−フェノール（Ｔｈｙｍｏｌ）
【００４４】
本発明においてアンタゴニスト香料として、ＯＲ１０Ｇ７に結合し得る以下の化合物も好ましく挙げられる。
・２−メチルウンデカナール（Ａｌｄｅｈｙｄｅ  Ｃ−１２  ＭＮＡ）
・Ｂｅｎｚｏｉｎ  Ｓｉａｍ
【００４５】
上述したＯＲ９Ｑ２アンタゴニスト香料、ＯＲ２Ｗ１アンタゴニスト香料、ＯＲ１０Ｇ４アンタゴニスト香料及びＯＲ１０Ｇ７アンタゴニスト香料は、これまで香料素材として知られていたが、これらの嗅覚受容体に対するアンタゴニスト作用を有することや、ｐ−クレゾール臭を始めとする尿臭を選択的に抑制する機能があることは知られていなかった。本発明において香料は、上述した化合物より選択される少なくとも１種を有効成分とするアンタゴニスト香料であることが好ましい。
【００４６】
上述した各種の嗅覚受容体に対するアンタゴニスト香料は、いずれも市販のものを購入して使用することができる（「合成香料  化学と商品知識」増補改訂版、印藤元一著、化学工業日報社、 ２００５年３月発行を参照）。例えば、ＯＲ９Ｑ２アンタゴニスト香料は、Ｆｉｒｍｅｎｉｃｈ  Ｓ．  Ａ．，Ｇｉｖａｕｄａｎ  Ｓ． Ａ．，Ｉｎｔｅｒｎａｔｉｏｎａｌ  Ｆｌａｖｏｒｓ  ＆  Ｆｒａｇｒａｎｃｅｓ  Ｉｎｃ．，ＳＩＧＭＡ−ＡＬＤＲＩＣＨ  Ｃｏｒｐｏｒａｔｉｏｎ、高砂香料工業株式会社、花王株式会社などから入手することが可能である。あるいは、化学合成によって、該市販品と同一物質又はそれを含む組成物を製造することが可能である。
【００４７】
また、本発明の吸収性物品において、香料の含有量は特に制限されず、所望の消臭性能や吸収性能等に応じて適宜設定することができる。例えば、吸収性物品１枚当たり０．５ｍｇ以上１００ｍｇ以下の香料を含むことができる。特に、香料としてアンタゴニスト香料を用いた場合には、０．１ｍｇ以上５０ｍｇ以下程度の比較的少ない含有量としても、十分な尿臭抑制効果が得られる点で好ましい。
【００４８】
本発明の適用の対象となる吸収性物品は、ヒトの排泄物を吸収保持するために用いられる各種の製品を広く包含する。例えばベビー用及び大人用の使い捨ておむつ、軽失禁用の失禁パッド、大人用の使い捨ておむつの内側に配置して使用される補助パッド、生理用ナプキン及びパンティライナなどが挙げられるが、これらに限られない。
【実施例】
【００４９】
以下、実施例により本発明を更に詳細に説明する。しかしながら本発明の範囲は、かかる実施例に制限されない。
【００５０】
〔実施例１及び２〕
吸収性物品として、花王株式会社の軽失禁パッド５０ｃｃタイプ（商品名：ロリエさらピュア５０ｃｃ）を用いた。また、香料として以下の表１に示すものを用いた。この香料を、吸収性物品における防漏カフに塗布した。塗布部位は、防漏カフにおける肌対向面の長手方向全域にわたる部位とした。
【００５１】
〔比較例１及び２〕
比較例１及び２として、以下の表１に示す香料を吸収性コアの内部に塗布した他は、実施例１及び２と同様に製造した吸収性物品を用いた。各比較例における香料の塗布量は、各実施例とすべて同じとした。
【００５２】
〔評価〕
各実施例及び各比較例の吸収性物品に人尿を各２０ｇ注入し、尿臭を官能で評価した。以下の６段階で評価を行い、３名の評価者による評価の平均値を求めた。その結果を以下の表１に示す。
１：尿臭がしない
２：尿臭がほとんどしない
３：尿臭が弱くする
４：尿臭がする
５：尿臭が楽にする
６：尿臭が強くする
【００５３】
【表１】
2018102614.tif 000003
【００５４】
表１に示す結果から明らかなとおり、各実施例の値は３未満となり、各比較例に比べて、臭気の抑制効果が高いことが分かる。
【符号の説明】
【００５５】
１０  吸収性物品
１１  表面シート
１２  裏面シート
１３  吸収体
１４  吸収性コア
１５  被覆シート
１６  防漏カフ
１６ａ  基端部
１６ｂ  自由端
１７  レッグカフ
１７ｂ  自由端
１８  接合部
【図１】
2018102614.tif 000004
【図２】
2018102614.tif 000005